(57)【要約】【課題】  情報端末において、特定エリアに対して配信を行うサーバからダウンロードされたコンテンツがコピーされたり、特定エリアの外で利用されたりする懸念がある。【解決手段】  所定コンテンツを受信し、出力する通信手段と、前記通信手段から入力されたコンテンツを記憶の上、表示する表示手段と、前記コンテンツの受信の際、所定サーバ装置が特定エリアに配信を行うことを示す信号を受信した場合、前記コンテンツを複写できないようにし、かつ、自装置が所定方法で認識した前記特定エリアの外に所定時間以上出ていることを検知すると、前記コンテンツの表示を停止し、前記コンテンツの記憶を消去する制御手段とを備える。【選択図】      図８
2017004371.tif 000002
【特許請求の範囲】
【請求項１】
所定コンテンツを受信し、出力する通信手段と、
前記通信手段から入力されたコンテンツを記憶の上、表示する表示手段と、
前記コンテンツの受信の際、所定サーバ装置が特定エリアに配信を行うことを示す信号を受信した場合、前記コンテンツを複写できないようにし、かつ、自装置が所定方法で認識した前記特定エリアの外に所定時間以上出ていることを検知すると、前記コンテンツの表示を停止し、前記コンテンツの記憶を消去する制御手段と
を備えることを特徴とする情報端末装置。
【請求項２】
前記出力された前記コンテンツを、あらかじめ記憶されてある、前記コンテンツに対応するコンテンツと合成し、出力する合成手段
をさらに備え、
前記通信手段から入力されたコンテンツは前記合成手段から入力されたコンテンツである
ことを特徴とする請求項１に記載の情報端末装置。
【請求項３】
請求項１または２に記載の情報端末装置と、
前記情報端末装置に前記コンテンツを送信する際、自装置が前記特定エリアに配信を行うことを示す信号を送信するサーバ装置と
を含むことを特徴とする情報システム。
【請求項４】
所定コンテンツを受信し、出力する通信工程と、
前記通信工程により入力されたコンテンツを記憶の上、表示する表示工程と、
前記コンテンツの受信の際、所定サーバ装置が特定エリアに配信を行うことを示す信号を受信した場合、前記コンテンツを複写できないようにし、かつ、情報端末装置が所定方法で認識した前記特定エリアの外に所定時間以上出ていることを検知すると、前記コンテンツの表示を停止し、前記コンテンツの記憶を消去する制御工程と
を備えることを特徴とする情報端末装置の制御方法。
【請求項５】
前記出力された前記コンテンツを、あらかじめ記憶されてある、前記コンテンツに対応するコンテンツと合成し、出力する合成工程
をさらに備え、
前記通信工程により入力されたコンテンツは前記合成手段により入力されたコンテンツである
ことを特徴とする請求項４に記載の情報端末装置の制御方法。
【請求項６】
情報端末装置を構成するコンピュータに、
所定コンテンツを受信し、出力する通信処理と、
前記通信処理により入力されたコンテンツを記憶の上、表示する表示処理と、
前記コンテンツの受信の際、所定サーバ装置が特定エリアに配信を行うことを示す信号を受信した場合、前記コンテンツを複写できないようにし、かつ、情報端末装置が所定方法で認識した前記特定エリアの外に所定時間以上出ていることを検知すると、前記コンテンツの表示を停止し、前記コンテンツの記憶を消去する制御処理と
を実行させることを特徴とする情報端末装置のプログラム。
【請求項７】
前記出力された前記コンテンツを、あらかじめ記憶されてある、前記コンテンツに対応するコンテンツと合成し、出力する合成処理
をさらに備え、
前記通信処理により入力されたコンテンツは前記合成処理により入力されたコンテンツである
ことを特徴とする請求項６に記載の情報端末装置のプログラム。
【発明の詳細な説明】
【技術分野】
【０００１】
本発明は、情報端末装置、サーバおよび制御方法に関する。
【背景技術】
【０００２】
特定のエリアにある携帯端末にそのエリアに特有のコンテンツを配信する技術が特許文献１に記載されている。
【０００３】
すなわち、特許文献１に記載の情報配信システムは、図１を参照して、情報配信サーバと携帯端末とを備える。情報配信サーバは、携帯端末にダウンロード可能なコンテンツまたはコンテンツの登録場所を示すコンテンツデータとコンテンツ毎に携帯端末がダウンロード可能なエリアを示すエリア情報とを関連付けて記憶したコンテンツデータベースを備える。情報配信サーバは携帯端末がダウンロード可能なコンテンツ案内情報を携帯端末に配信する。携帯端末は現在位置に関する情報を情報配信サーバに送信し、情報配信サーバから配信されたコンテンツ案内情報にもとづいてダウンロードするコンテンツ情報を選択して情報配信サーバに配信要求する。情報配信サーバは、携帯端末からのコンテンツ配信要求を受信すると、携帯端末の位置を判別し、判別した携帯端末の位置と配信要求コンテンツに関連するエリア情報とを照合して該当するコンテンツデータを配信するか否かを判定する。配信要求コンテンツに関連付けられたエリア情報と携帯端末の位置が合致する場合に、情報配信サーバは携帯端末に該コンテンツデータを配信する。
【０００４】
この技術により、携帯端末は特定エリアに移動したときにそのエリアに特有のコンテンツがダウンロード可能であることを知ることができ、コンテンツを選択してダウンロードすることが可能となる。つまり、情報配信サーバは特定のエリアにある携帯端末にそのエリアに特有のコンテンツを配信することが可能となる。
【先行技術文献】
【特許文献】
【０００５】
【特許文献１】国際公開第２００５／０６０２７９号
【発明の概要】
【発明が解決しようとする課題】
【０００６】
特許文献１に記載の技術では、特定のエリアにある携帯端末にそのエリアに特有のコンテンツを配信することが可能となる。
【０００７】
ところが、特許文献１に記載の技術では、携帯端末において、ダウンロードされたコンテンツはメモリ等に記憶されるため、コピーしたり、特定エリアの外で利用したりすることが可能となる。特定エリアに特有のコンテンツとは、例えば、店舗における商品の特別価格情報、観光スポットにおける限定案内情報、カラオケ店における楽曲の音声データなど、利用が特定エリアに限定されるべきコンテンツである。このため、そのようなコンテンツが特定エリア外でも利用可能となると、コンテンツのエリア限定性が損なわれてしまう。
【０００８】
本発明の目的は、上記課題を解決し、コンテンツのエリア限定性を維持させることが可能な情報端末装置、サーバおよび制御方法を提供することである。
【課題を解決するための手段】
【０００９】
本発明の情報端末装置は、所定コンテンツを受信し、出力する通信手段と、前記通信手段から入力されたコンテンツを記憶の上、表示する表示手段と、前記コンテンツの受信の際、所定サーバ装置が特定エリアに配信を行うことを示す信号を受信した場合、前記コンテンツを複写できないようにし、かつ、自装置が所定方法で認識した前記特定エリアの外に所定時間以上出ていることを検知すると、前記コンテンツの表示を停止し、前記コンテンツの記憶を消去する制御手段とを備えることを特徴とする。
【００１０】
本発明の情報端末装置の制御方法は、所定コンテンツを受信し、出力する通信工程と、前記通信工程により入力されたコンテンツを記憶の上、表示する表示工程と、前記コンテンツの受信の際、所定サーバ装置が特定エリアに配信を行うことを示す信号を受信した場合、前記コンテンツを複写できないようにし、かつ、情報端末装置が所定方法で認識した前記特定エリアの外に所定時間以上出ていることを検知すると、前記コンテンツの表示を停止し、前記コンテンツの記憶を消去する制御工程とを備えることを特徴とする。
【発明の効果】
【００１１】
本発明によれば、情報端末において、特定エリアに対して配信を行うサーバからダウンロードされたコンテンツがコピーされたり、特定エリアの外で利用されたりしないようにすることが可能となる。
【図面の簡単な説明】
【００１２】
【図１】情報配信システムの構成を示す図である。
【図２】第１の実施形態のシステム概要を説明するための図である。
【図３】第１の実施形態における無線情報端末とデータサーバの構成例を示すブロック図である。
【図４】第１の実施形態における無線情報端末とデータサーバの動作例を示すシーケンス図である。
【図５】第１の実施形態における無線情報端末の他の構成例を示すブロック図である。
【図６】第１の実施形態における広告データの合成を説明する図である。
【図７】第１の実施形態における無線情報端末とデータサーバの動作例を示す図である。
【図８】第２の実施形態における情報端末装置の構成例を示すブロック図である。
【発明を実施するための形態】
【００１３】
本発明の第１の実施形態について、図面を参照して説明する。
【００１４】
本実施形態では、ユーザが無線情報端末で特定のエリアにコンテンツを配信するデータサーバからコンテンツをダウンロードして閲覧する場合について説明する（図２参照）。
【００１５】
図３に、本実施形態における無線情報端末およびデータサーバの構成例を示す。
【００１６】
無線情報端末１０は、操作部１１、制御部１２、無線通信部１３、通信監視部１４、記憶部１５、表示部１６を備える。
【００１７】
データサーバ２０は、特定のエリアにコンテンツを配信し、無線通信部２１、記憶部２２を備える。
【００１８】
各部を説明する。
【００１９】
操作部１１は、タッチパネル、キーボード、ボタンなどで、ユーザによる操作指示を受け、制御部１２に伝達する。
【００２０】
制御部１２は、無線情報端末１０の制御、特にコンテンツの要求・表示・記憶などの制御を行う。
【００２１】
無線通信部１３は、無線信号の送受信を行う。
【００２２】
通信監視部１４は、通信の接続状態の監視を行う。
【００２３】
記憶部１５は、コンテンツ、データなどの記憶を行う。
【００２４】
表示部１６は、ディスプレイ、スピーカー（コンテンツが音声を含む場合）などで、コンテンツ、アプリケーションなどの表示を行う。
【００２５】
無線通信部２１は、無線信号の送受信を行う。
【００２６】
記憶部２２は、コンテンツ、データなどの記憶を行う。
【００２７】
上述の構成例を踏まえ、本実施形態における無線情報端末１０とデータサーバ２０の動作について、図４〜図７を参照して説明する。図４は本実施形態における無線情報端末とデータサーバの動作例を示すシーケンス図である。
【００２８】
データサーバ２０のコンテンツ配信可能な特定エリアにいるユーザにより無線情報端末１０の操作部１１において所定の操作が行われると、無線情報端末１０がデータサーバ２０に対し認証にもとづく接続を行う。その接続が行われると、データサーバ２０は記憶部２２に記憶されている画像（コンテンツ）の一覧を無線通信部２１から無線情報端末１０へ送信する（Ｓ４０１）。
【００２９】
無線情報端末１０は無線通信部１３で受信した画像一覧を表示部１０６に表示する（Ｓ４０２）。ユーザが表示部１０６にて表示されている画像一覧から閲覧したい画像を要求する操作を行うと、無線情報端末１０は当該画像の要求信号を無線通信部１３からデータサーバ２０に送信する（Ｓ４０３）。
【００３０】
データサーバ２０は無線通信部２１で受信した画像要求信号に応じて記憶部２２に記憶されている当該画像データを無線通信部２１から無線情報端末１０に送信する（Ｓ４０４）。なお、特定のエリアにコンテンツの配信を行う方法として、例えば、特許文献１に記載の方法、データサーバからコンテンツを配信する電波の到達範囲を特定のエリアとする方法などがある。その際、データサーバ２０は自身が特定エリアにコンテンツの配信を行うサーバであることを示す識別子も送信する。その識別子を受信した無線情報端末１０はデータサーバ２０が特定エリアにコンテンツの配信を行うサーバであることを認識する。
【００３１】
無線情報端末１０は無線通信部１３で受信した画像データを記憶部１５に記憶して表示部１６にその画像を表示する（Ｓ４０５）。ここで、無線情報端末１０に記憶、表示されている画像データは、例えば次の方法で、コピーや編集などが行われないようにする。すなわち、表示がブラウザによる場合、表示の最上位層に透明レイヤを配置し、画面キャプチャや画像の保存などにおいて透明レイヤが選択されるようにしたり、画像データが展開される領域にアクセス制限をかけたりする。
【００３２】
データサーバ２０が特定エリアにコンテンツの配信を行うサーバであることが認識され、閲覧画像データが記憶部１５に記憶されると、通信監視部１４が無線情報端末１０のデータサーバ２０との接続状態の監視を開始する（Ｓ４０６）。その監視中、無線情報端末１０がデータサーバ２０と通信可能な範囲の外にあること等がある。これにより、無線情報端末１０のデータサーバ２０との接続が所定時間以上切断されたことを通信監視部１４が検知すると（Ｓ４０７でＹｅｓ）、制御部１２が表示部１６における画像表示を停止し、記憶部１５から画像データを消去する（Ｓ４０９）。なお、特定のエリアにコンテンツの配信を行う方法が特許文献１に記載の方法である場合に、データサーバからコンテンツを配信する電波の到達範囲が特定エリアより広いことがある。その場合、上記Ｓ４０４およびＳ４０７の処理で次のようにしてもよい。すなわち、Ｓ４０４では、データサーバ２０が無線情報端末１０に画像データと共にダウンロード可能なエリアを示すエリア情報を送信する。Ｓ４０７で、エリア情報を受信した無線情報端末１０は、ＧＰＳ（Global Positioning System）等で取得された自端末の位置がエリア情報に示されているエリアの外に所定時間以上出たことを検知すると、Ｓ４０９の画像表示の停止、画像データの消去を行う。
【００３３】
無線情報端末１０のデータサーバ２０との接続が所定時間以上切断されない場合（Ｓ４０７でＮｏ）、制御部１２がユーザにより表示部１６における画像表示を停止する操作が行われたか否かを確認する（Ｓ４０８）。なお、画面表示を停止する操作には、表示タスクに対するkillイベントも含まれる。
【００３４】
画像表示を停止する操作が行われた場合（Ｓ４０８でＹｅｓ）、制御部１２は表示部１６における画像表示を停止し、記憶部１５から画像データを消去する（Ｓ４０９）。画像表示を停止する操作が行われていない場合（Ｓ４０８でＮｏ）、Ｓ４０６の処理を行う。
【００３５】
上記Ｓ４０１からＳ４０５の処理において、次のようにしてもよい。すなわち、あらかじめ（Ｓ４０１の前に）ユーザが無線情報端末３０（スマートフォン等）でインターネット等から商品の詳細な価格情報が掲載されていない広告データをダウンロードしておく。Ｓ４０１からＳ４０４の処理において、店舗にて無線情報端末３０でデータサーバ２０から商品の価格情報をダウンロードし、Ｓ４０５で表示を行う前に、図５の画像合成部３７で広告データと価格情報とが対応付けられて合成され（図６参照）、Ｓ４０５での表示が行われる。これにより、広告に商品の店頭価格を表示しない場合、店舗において商品の陳列場所に行かなくても店頭価格を確認することが可能となる。同様に、店舗にて無線情報端末３０でデータサーバ２０から商品のリアルタイムな在庫情報や商品のタイムセール情報をダウンロードし、合成済みの広告データの表示が行われるようにしてもよい。なお、無線情報端末３０は無線情報端末１０に画像合成部３７を備えたものである。
【００３６】
また、上記無線情報端末１０、３０は、テザリング機能を備えたスマートフォン等（無線情報端末４０）でもよい。すなわち、無線情報端末４０経由で、他の無線情報端末１０、３０または４０がデータサーバ２０に接続する（図７参照）。これにより、データサーバ２０に同時に直接接続可能な端末の台数が制限されている場合、データサーバ２０に直接接続する端末の台数を低減することが可能となる。なお、無線情報端末４０は無線情報端末１０にテザリング機能を備えたものである。
【００３７】
なお、上記の無線情報端末およびデータサーバの無線通信部は有線の通信部であってもよい。すなわち、上記において、情報端末とデータサーバとの間の通信を有線で行ってもよい。また、無線情報端末の一部に他部の機能を持たせてもよい。例えば、制御部に通信監視部、表示部に記憶部を備えてもよい。
【００３８】
以上のように、特定エリアにコンテンツの配信を行うデータサーバから受信したコンテンツを記憶、表示している無線情報端末が特定エリアの外に所定時間以上出ると、無線情報端末においてコンテンツの表示が停止され、コンテンツのデータが消去される。また、無線情報端末においては該データサーバから受信したコンテンツがユーザ等によりコピーされないようになっている。
【００３９】
つまり、情報端末において、特定エリアに対して配信を行うサーバからダウンロードされたコンテンツがコピーされたり、特定エリアの外で利用されたりしないようにすることが可能となる。
【００４０】
本発明の第２の実施形態について、図面を参照して説明する。
【００４１】
図８に、本実施形態における情報端末装置の構成例を示す。
【００４２】
情報端末装置５０は、通信部５１、表示部５２、制御部５３を備える。
【００４３】
通信部５１は、信号の送受信を行う。
【００４４】
表示部５２は、コンテンツの表示を行う。
【００４５】
制御部５３は、コンテンツの要求・表示・記憶などの制御を行う。
【００４６】
上述の構成例を踏まえ、本実施形態における情報端末装置の動作について説明する。
【００４７】
ユーザの所定操作により、通信部５１がサーバ装置からコンテンツを受信し、出力する。表示部５２が通信部５１から入力されたコンテンツを記憶の上、表示する。通信部５１が、コンテンツの受信の際、サーバ装置が特定エリアに配信を行うことを示す信号を受信した場合、制御部５３が受信されたコンテンツを複写できないようにする。また、その場合、制御部５３が、情報端末装置５０が所定方法で認識した前記特定エリアの外に所定時間以上出ていることを検知すると、コンテンツの表示を停止し、コンテンツの記憶を消去する。
【００４８】
以上のように、特定エリアにコンテンツの配信を行うサーバ装置から受信したコンテンツを記憶、表示している情報端末装置が特定エリアの外に所定時間以上出ると、情報端末装置においてコンテンツの表示が停止され、コンテンツのデータが消去される。また、情報端末装置においては該サーバ装置から受信したコンテンツがユーザ等によりコピーされないようになっている。
【００４９】
つまり、情報端末において、特定エリアに対して配信を行うサーバからダウンロードされたコンテンツがコピーされたり、特定エリアの外で利用されたりしないようにすることが可能となる。
【００５０】
なお、以上の実施形態において、係る動作処理を実行させるためのプログラムを、ＣＤ−ＲＯＭ、ＭＯなどのコンピュータ読取可能な記録媒体に格納して配布し、該プログラムをコンピュータにインストールすることにより、該動作処理を実行する装置を構成してもよい。ＣＤ−ＲＯＭはCompact Disk Read-Only Memoryの略称で、ＭＯはMagneto-Optical diskの略称である。
【産業上の利用可能性】
【００５１】
本発明は、情報端末装置、サーバおよび制御方法に利用可能である。
【符号の説明】
【００５２】
１０、３０、４０    無線情報端末
１１    操作部
１２、５３    制御部
１３    無線通信部
１４    通信監視部
１５    記憶部
１６、５２    表示部
２０    データサーバ
２１    無線通信部
２２    記憶部
３７    画像合成部
５０    情報端末装置
５１    通信部
【図１】
2017004371.tif 000003
【図２】
2017004371.tif 000004
【図３】
2017004371.tif 000005
【図４】
2017004371.tif 000006
【図５】
2017004371.tif 000007
【図６】
2017004371.tif 000008
【図７】
2017004371.tif 000009
【図８】
2017004371.tif 000010